(57)【要約】  長さ方向にずれた第１の対向端面および第２の対向端面を画定する矩形構成を有するバリスタが提供される。バリスタは、第１の対向端面に隣接する第１の端子、および、第２の対向端面に隣接する第２の端子を含むことができる。バリスタは、第１の端子と電気的に接続された第１の電極および第２の端子と電気的に接続された第２の電極を含む活性電極層を含むことができる。第１の電極は、活性電極端部間隙を形成するように、長さ方向において第２の電極から離間され得る。バリスタは、浮遊電極を含む浮遊電極層を含むことができる。浮遊電極層は、浮遊電極間隙を形成するように、高さ方向において活性電極層から離間され得る。活性電極端部間隙の浮遊電極間隙に対する比率は、約２よりも大きくてもよい。【選択図】図１Ａ
2021515404.tif 000002
【特許請求の範囲】
【請求項１】
長さ方向にずれた第１の対向端面および第２の対向端面を画定する矩形構成を有するバリスタであって、
前記第１の対向端面に隣接する第１の端子と、
前記第２の対向端面に隣接する第２の端子と、
前記第１の端子と電気的に接続された第１の電極および前記第２の端子と電気的に接続された第２の電極を含む活性電極層であり、前記第１の電極は、活性電極端部間隙を形成するように、前記長さ方向において前記第２の電極から離間されている、活性電極層と、
浮遊電極を備える浮遊電極層であり、前記浮遊電極層は、浮遊電極間隙を形成するように、高さ方向において前記活性電極層から離間されている、浮遊電極層と
を備え、
前記活性電極端部間隙の前記浮遊電極間隙に対する比率は、約２よりも大きい、バリスタ。
【請求項２】
前記第１の電極は、前記長さ方向において重複距離に沿って前記浮遊電極と重なり合い、
前記活性電極層は、前記第１の端子と前記第２の端子との間で前記長さ方向においてある長さを有し、
重複比率は約５よりも大きい、請求項１に記載のバリスタ。
【請求項３】
前記浮遊電極は、前記第１の端子および前記第２の端子の各々から前記長さ方向においてほぼ等距離に配置される、請求項１に記載のバリスタ。
【請求項４】
約８，０００ボルトの５，０００回以上の静電放電ストライク後の前記バリスタのブレークダウン電圧は、前記バリスタの初期ブレークダウン電圧の約０．９倍よりも大きい、請求項１に記載のバリスタ。
【請求項５】
前記バリスタの静電容量は、約１００ｐＦ未満である、請求項１に記載のバリスタ。
【請求項６】
前記バリスタの漏れ電流は、約３０ボルトにおいて約１０μＡ未満である、請求項１に記載のバリスタ。
【請求項７】
前記バリスタの過渡エネルギー能力は、約０．０１ジュールよりも大きい、請求項１に記載のバリスタ。
【請求項８】
前記バリスタの比過渡エネルギー能力は、約１ｘ１０７Ｊ／ｍ３よりも大きい、請求項１に記載のバリスタ。
【請求項９】
バリスタであって、
第１の端子と、
第２の端子と、
複数の活性電極層であり、前記複数の活性電極層の各々は、前記第１の端子または前記第２の端子のうちの少なくとも１つと電気的に接続される、複数の活性電極層と、
カスケード構成において前記複数の活性電極層と交互配置された複数の浮遊電極層と
を備え、
前記バリスタの静電容量は、約１００ｐＦ未満である、バリスタ。
【請求項１０】
約８，０００ボルトの５，０００回以上の静電放電ストライク後の前記バリスタのブレークダウン電圧は、前記バリスタの初期ブレークダウン電圧の約０．９倍よりも大きい、請求項９に記載のバリスタ。
【請求項１１】
前記バリスタの過渡エネルギー能力は、約０．０１ジュールよりも大きい、請求項９に記載のバリスタ。
【請求項１２】
前記バリスタの比過渡エネルギー能力は、約１ｘ１０７Ｊ／ｍ３よりも大きい、請求項９に記載のバリスタ。
【請求項１３】
バリスタであって、
第１の端子と、
第２の端子と、
複数の活性電極層であり、前記複数の活性電極層の各々は、前記第１の端子または前記第２の端子のうちの少なくとも１つと電気的に接続される、複数の活性電極層と、
カスケード構成において前記複数の活性電極層と交互配置された複数の浮遊電極層と
を備え、
前記バリスタの比過渡エネルギー能力は、約１ｘ１０７Ｊ／ｍ３よりも大きい、バリスタ。
【請求項１４】
約８，０００ボルトの５，０００回以上の静電放電ストライク後の前記バリスタのブレークダウン電圧は、前記バリスタの初期ブレークダウン電圧の約０．９倍よりも大きい、請求項１３に記載のバリスタ。
【請求項１５】
前記バリスタの過渡エネルギー能力は、約０．０１ジュールよりも大きい、請求項１３に記載のバリスタ。
【発明の詳細な説明】
【技術分野】
【０００１】
関連技術の相互参照
[0001]本出願は、参照によりその全体が本明細書に組み込まれる、２０１８年３月５日の出願日を有する米国仮特許出願第６２／６３８，３６９号の出願日の出願利益を主張する。
【０００２】
[0002]本主題は、一般に、回路基板に搭載されるように適合されている電子構成要素に関し、より詳細には、バリスタおよびバリスタアレイに関する。
【背景技術】
【０００３】
[0003]多層セラミックキャパシタまたはバリスタなどの多層セラミック素子は、典型的には、積層された複数の誘電体−電極層によって構築される。製造中、それらの層は多くの場合、圧縮されて垂直積層構造に形成され得る。多層セラミック素子は、単一の電極またはアレイ内の複数の電極を含むことができる。
【０００４】
[0004]バリスタは、電圧依存非線形抵抗器であり、サージ吸収電極、アレスタ、および電圧安定装置として使用されている。バリスタは、例えば、繊細な電気構成要素と並列に接続される場合がある。バリスタの非線形抵抗応答は、多くの場合、制限電圧（ｃｌａｍｐｉｎｇ  ｖｏｌｔａｇｅ）として知られるパラメータによって特徴付けられる。バリスタの制限電圧未満の印加電圧について、バリスタは、一般的に、非常に高い抵抗を有し、したがって、開回路に類似して動作する。一方、バリスタがその制限電圧よりも高い電圧にさらされると、その抵抗は低減され、結果、バリスタは、短絡回路により類似して動作し、より大きい電流の流れを許容する。この非線形応答は、電流サージをそらし、および／または、電圧スパイクが繊細な電子構成要素を損傷するのを防止するために使用され得る。
【０００５】
[0005]しばらくの間、様々な電子構成要素の設計は、小型化に向かう一般的な業界動向によって動機付けられていた。電子構成要素の小型化の結果として、動作電流が低下し、耐久性が低減された。バリスタの電流およびエネルギー処理能力は、一般的に、電流によって生成される熱によって制限される。大きすぎる電流がバリスタに流れた場合、バリスタは過熱し、溶融、焼損などの損傷を引き起こす。
【発明の概要】
【発明が解決しようとする課題】
【０００６】
[0006]したがって、エネルギー処理能力の改善された小型バリスタが望ましい。
【課題を解決するための手段】
【０００７】
[0007]本開示の一実施形態によれば、バリスタは、長さ方向にずれた第１の対向端面（ｏｐｐｏｓｉｎｇ  ｅｎｄ  ｓｕｒｆａｃｅ）および第２の対向端面を画定する矩形構成を有することができる。バリスタは、第１の対向端面に隣接する第１の端子、および、第２の対向端面に隣接する第２の端子を含むことができる。バリスタは、第１の端子と電気的に接続された第１の電極および第２の端子と電気的に接続された第２の電極を含む活性電極層（ａｃｔｉｖｅ  ｅｌｅｃｔｒｏｄｅ  ｌａｙｅｒ）を含むことができる。第１の電極は、活性電極端部間隙（ａｃｔｉｖｅ  ｅｌｅｃｔｒｏｄｅ  ｅｎｄ  ｇａｐ）を形成するように、長さ方向において第２の電極から離間され得る。バリスタは、浮遊電極を含む浮遊電極層（ｆｌｏａｔｉｎｇ  ｅｌｅｃｔｒｏｄｅ  ｌａｙｅｒ）を含むことができる。浮遊電極層は、浮遊電極間隙（ｆｌｏａｔｉｎｇ  ｅｌｅｃｔｒｏｄｅ  ｇａｐ）を形成するように、高さ方向において活性電極層から離間され得る。活性電極端部間隙の浮遊電極間隙に対する比率は、約２よりも大きくてもよい。
【０００８】
[0008]本開示の別の実施形態によれば、バリスタは、第１の端子と、第２の端子と、複数の活性電極層とを含むことができる。複数の活性電極層の各々は、第１の端子または第２の端子のうちの少なくとも１つと電気的に接続され得る。バリスタは、カスケード構成において複数の活性電極層と交互配置された複数の浮遊電極層を含むことができる。バリスタの静電容量は、約１００ｐＦ未満であり得る。
【０００９】
[0009]本開示の別の実施形態によれば、バリスタは、第１の端子と、第２の端子と、複数の活性電極層とを含むことができる。複数の活性電極層の各々は、第１の端子または第２の端子のうちの少なくとも１つと電気的に接続され得る。バリスタは、カスケード構成において複数の活性電極層と交互配置された複数の浮遊電極層を含むことができる。バリスタの比過渡エネルギー能力（ｓｐｅｃｉｆｉｃ  ｔｒａｎｓｉｅｎｔ  ｅｎｅｒｇｙ  ｃａｐａｂｉｌｉｔｙ）は、約１ｘ１０７ｊ／ｍ３よりも大きくてもよい。
【００１０】
[0010]当業者向けの、その最良の形態を含む本主題の完全で実施可能な開示が本明細書に記載されており、これは添付の図面を参照する。
【図面の簡単な説明】
【００１１】
【図１Ａ】[0011]本開示の態様によるバリスタの一実施形態の図である。
【図１Ｂ】本開示の態様によるバリスタの一実施形態の図である。
【図１Ｃ】本開示の態様によるバリスタの一実施形態の図である。
【図２】[0012]本開示の態様によるバリスタの様々な特性を試験するために使用される例示的な電流パルスを示す図である。
【図３】[0013]本開示の態様によるバリスタの例示的な試験中の電流および電圧を示す図である。
【発明を実施するための形態】
【００１２】
[0014]本明細書および添付の図面全体を通じて参照符号が繰り返し使用されている場合、これは、本主題の同じまたは類似の特徴、電極、またはステップを表すように意図されている。
【００１３】
[0015]本開示が例示的な実施形態の説明にすぎず、本主題のより広い態様を限定するものとして解釈されるべきではなく、より広い態様は例示的な構成において具現化されることは、当業者には理解されたい。
【００１４】
[0016]一般に、本開示はカスケードバリスタ（ｃａｓｃａｄｅ  ｖａｒｉｓｔｏｒ）に関する。バリスタは、優れたエネルギー散逸特性を有することができる。例えば、バリスタの過渡エネルギー能力（ｔｒａｎｓｉｅｎｔ  ｅｎｅｒｇｙ  ｃａｐａｂｉｌｉｔｙ）は、静電放電（ＥＳＤ：ｅｌｅｃｔｒｏｓｔａｔｉｃ  ｄｉｓｃｈａｒｇｅ）反復ストライク（ｒｅｐｅｔｉｔｉｖｅ  ｓｔｒｉｋｅ）処理能力、過渡エネルギー能力、および／または比過渡エネルギー能力（単位体積当たりのエネルギー）として表され得る。付加的に、本開示の態様によれば、バリスタはまた、静電容量が低いこと（バリスタを静電容量に敏感な回路に特に適したものにする）、および、バリスタの動作電圧において漏れ電流が低いことを含む、いくつかの他の望ましい特性も呈することができる。
【００１５】
[0017]バリスタは、長さ方向にずれた第１の対向端面および第２の対向端面を画定する矩形構成を含むことができる。バリスタは、第１の対向端面に隣接する第１の端子、および、第２の対向端面に隣接する第２の端子を含むことができる。バリスタはまた、第１の端子と電気的に接続された第１の電極および第２の端子と電気的に接続された第２の電極を含む活性電極層も含むことができる。第１の電極は、活性電極端部間隙を形成するように、長さ方向において第２の電極から離間され得る。バリスタは、浮遊電極を備える浮遊電極層を含むことができる。浮遊電極層は、浮遊電極間隙を形成するように、高さ方向において活性電極層から離間され得る。活性電極端部間隙の浮遊電極間隙に対する比率は、約２よりも大きくてもよい。
【００１６】
[0018]理論に限定されることなく、上述したカスケード構成は、エネルギー処理能力が増大されることを容易にすることができる。例えば、バリスタのブレークダウン電圧（ｂｒｅａｋｄｏｗｎ  ｖｏｌｔａｇｅ）よりも大きい電圧において、浮遊電極は、端子間の導電を向上させることができる。さらに、ブレークダウン電圧を下回る電圧について、浮遊電極は、バリスタの性能を損なわないことが可能である。その上、浮遊電極は、長さ方向の熱伝導を向上させ、結果、放熱を向上させることができる。大きい電流／エネルギーサージの間、電流が誘電体層を通じて流れると、熱が生成される。浮遊電極層は、誘電体層の中央から、熱がより容易に放散され得る端子に向けての熱流が向上されることを容易にすることができる。結果として、バリスタは、過熱することなく、より大きいエネルギーサージを処理することが可能であり得る。したがって、浮遊電極層は、バリスタのエネルギー処理能力を向上させることができる。
【００１７】
[0019]誘電体層は、ともに圧縮され、焼結されて、単一構造を形成することができる。誘電体層は、例えば、チタン酸バリウム、酸化亜鉛、または任意の他の適切な誘電体材料などの、任意の適切な誘電体材料を含むことができる。例えば、誘電体材料の電圧依存抵抗を生成または増強する様々な添加剤が誘電体材料に含まれてもよい。例えば、いくつかの実施形態において、添加剤は、コバルト、ビスマス、マンガンの酸化物、またはそれらの組み合わせを含んでもよい。いくつかの実施形態において、添加剤は、ガリウム、アルミニウム、アンチモン、クロム、チタン、鉛、バリウム、ニッケル、バナジウム、スズの酸化物、またはそれらの組み合わせを含んでもよい。誘電体材料は、約０．５モル百分率〜約３モル百分率、および、いくつかの実施形態においては約１モル百分率〜約２モル百分率に及ぶ添加剤によってドーピングされ得る。誘電体材料の平均粒径は、誘電体材料の非線形特性に寄与し得る。いくつかの実施形態において、平均粒径は、約１０マイクロメートル（ミクロン）〜１００マイクロメートル、いくつかの実施形態においては約２０マイクロメートル〜８０マイクロメートルに及んでもよい。
【００１８】
[0020]バリスタの端子および電極は、様々な導電性材料から形成され得る。例示的な伝導性材料は、パラジウム、銀、白金、および銅を含む。誘電体層上に印刷されることが可能な任意の他の適切な導体が、電極および／または端子を形成するのに使用されてもよい。
【００１９】
[0021]利用される特定の構成にかかわらず、本発明者らは、電極、および、活性電極端部間隙の浮遊電極間隙に対する比率の構成を選択的に制御することを通じて、優れたエネルギー処理能力を呈するバリスタが達成され得ることを発見した。いくつかの実施態様において、活性電極端部間隙の浮遊電極間隙に対する比率は、約２よりも大きくてもよい。例えば、いくつかの実施形態において、この比率は、約２〜約５０、いくつかの実施形態において、約２〜約３０、および、いくつかの実施形態において、約３〜約２５に及んでもよい。
【００２０】
[0022]活性電極端部間隙は、約１００マイクロメートル〜約１０００マイクロメートル、および、いくつかの実施形態において、約２００マイクロメートル〜約８００マイクロメートルに及んでもよい。浮遊電極間隙は、約１５マイクロメートル〜約３００マイクロメートル、および、いくつかの実施形態において、約２５マイクロメートル〜約１５０マイクロメートルに及んでもよい。
【００２１】
[0023]上記で示したように、バリスタは、優れたエネルギー処理能力を呈することができる。例えば、バリスタは、１０ｘ１０００マイクロ秒パルスによって決定されるものとして、約０．０１ジュールよりも大きい、いくつかの実施形態において、約０．０３ジュールよりも大きい、および、いくつかの実施形態において、約０．０４ジュールよりも大きい、過渡エネルギー能力を有することができる。例えば、いくつかの実施形態において、過渡エネルギー能力は、約０．０２〜約０．０４ジュールに及ぶことができる。
【００２２】
[0024]付加的に、バリスタは、コンパクトにすることができ、結果、優れた比過渡エネルギー能力がもたらされる。例えば、バリスタの比過渡エネルギー能力は、６ｘ１０７ジュール／立方メートル（ｊ／ｍ３）よりも大きくてもよい。いくつかの実施形態において、比過渡エネルギー能力は、約１ｘ１０７Ｊ／ｍ３〜約２０ｘ１０７Ｊ／ｍ３、いくつかの実施形態において、約１．５ｘ１０７Ｊ／ｍ３〜約１０ｘ１０７Ｊ／ｍ３、および、いくつかの実施形態において、約２ｘ１０７Ｊ／ｍ３〜約７ｘ１０７Ｊ／ｍ３に及んでもよい。
【００２３】
[0025]いくつかの実施形態において、本開示の態様によるバリスタは、性能を大幅に劣化させることなく、反復的な静電放電ストライクに耐えることが可能であり得る。例えば、約８，０００ボルトの５，０００回以上の静電放電ストライク後のバリスタのブレークダウン電圧は、バリスタの初期ブレークダウン電圧の約０．９倍、いくつかの実施形態において、初期ブレークダウン電圧の約０．９５倍、および、いくつかの実施形態において、初期ブレークダウン電圧の約０．９８倍よりも大きくなり得る。
【００２４】
[0026]いくつかの実施形態において、本開示の態様によるバリスタはまた、低い静電容量も呈することができる。例えば、バリスタは、約１００ピコファラッド（「ｐＦ」）未満の静電容量を有することができる。例えば、いくつかの実施形態において、バリスタは、約５０ｐＦ未満、いくつかの実施形態において、約２０ｐＦ未満、および、いくつかの実施形態において、約１０ｐＦ未満の静電容量を有することができる。例えば、いくつかの実施形態において、バリスタは、約０．１ｐＦ〜約２０ｐＦ、いくつかの実施形態において、約０．１ｐＦ〜約１０ｐＦ、いくつかの実施形態において、約０．７ｐＦ〜約５ｐＦ、および、いくつかの実施形態において、約０．１ｐＦ〜約１ｐＦに及ぶ静電容量を有してもよい。
【００２５】
[0027]いくつかの実施形態において、バリスタは、低い漏れ電流を呈することができる。例えば、約３０ボルトの動作電圧における漏れ電流は、約１０マイクロアンペア（μＡ）未満であり得る。例えば、いくつかの実施形態において、約３０ボルトの動作電圧における漏れ電流は、約０．０１μＡ〜約５μＡ、いくつかの実施形態において、約０．００５μＡ〜約１μＡ、いくつかの実施形態において、約０．０５μＡ〜約０．１５μＡに及んでもよく、例えば０．１μＡでもよい。
【００２６】
[0028]ここで図面を参照して、本開示の例示的な実施形態が、これより詳細に論じられる。図１Ａ〜図１Ｃは、本開示の態様によるバリスタ１０の一実施形態を示す。図１Ａは、バリスタ１０の一実施形態の様々な層を示す概略断面図である。一実施形態において、バリスタ１０は、例えば、上述したようなセラミック誘電体材料から作成される、複数の概ね平坦な誘電体層を含むことができる。
【００２７】
[0029]図１Ａを参照すると、バリスタ１０は、Ｚ方向１３に積層された複数の活性電極層１２を含むことができる。各活性電極層１２は、第１の端子１６と電気的に接続された第１の電極１４および第２の端子２０と電気的に接続された第２の電極１８を含むことができる。各第１の電極１４は、活性電極端部間隙２４を形成するように、長さ方向２２において、同じ活性電極層１２内のそれぞれの第２の電極１８から離間され得る。長さ方向２２は、高さ方向１３に概ね垂直であり得る。
【００２８】
[0030]バリスタ１０はまた、複数の浮遊電極層２６も含むことができる。複数の浮遊電極層２６は、活性電極層１２のそれぞれの対の間で交互の構成に配置され（例えば、交互配置され）得る。各浮遊電極層２６は、浮遊電極２８を含むことができる。いくつかの実施形態において、浮遊電極２８は、いかなる外部構造とも直接的に電気接続されないものであり得る。例えば、浮遊電極２８は、端子１６、２０から電気的に分離され得る。いくつかの実施形態において、浮遊電極２８は、長さ方向２２に関して浮遊電極層２６の中央に概ね配置され得る。例えば、浮遊電極層２６は、第１の端子１６および第２の端子２０の各々から長さ方向２２においてほぼ等距離に配置され得る。
【００２９】
[0031]いくつかの実施形態において、バリスタ１０はまた、複数の誘電体層４０も含むことができる。例えば、誘電体層４０は、活性電極層１２と浮遊電極層２６との間で交互に配置され得る。誘電体層４０は、各活性電極層１２と隣接する浮遊電極間隙２６との間に配置されるように示されているが、いくつかの実施形態において、すべてよりも少ない活性電極層１２と隣接する浮遊電極間隙２６との間に配置されてもよい。付加的に、いくつかの実施形態において、誘電体層４０の各々は、ほぼ同じ厚さを有することができる。しかしながら、他の実施形態において、誘電体層４０は、浮遊電極２８と隣接する活性電極１６、１８との間の距離がバリスタ１０内で変化し得るように、様々な厚さを有してもよい。
【００３０】
[0032]浮遊電極層２６は、浮遊電極間隙４２を形成するように、高さ方向１３において隣接する活性電極層１２から離間され得る。上記で示したように、いくつかの実施態様において、活性電極端部間隙２４の浮遊電極間隙４２に対する比率は、約２よりも大きくてもよい。
【００３１】
[0033]付加的に、いくつかの実施形態において、第１の電極１４および／または第２の電極１８は、長さ方向２２において重複距離（ｏｖｅｒｌａｐ  ｄｉｓｔａｎｃｅ）４４に沿って浮遊電極２８と重なり合ってもよい。活性電極層１２は、第１の端子１６と第２の端子２０との間で長さ方向２２において長さ４６を有することができる。重複比率（ｏｖｅｒｌａｐ  ｒａｔｉｏ）は、活性電極層１２の長さ４６を重複距離４４によって除算した値として定義され得る。上記で示したように、いくつかの実施形態において、重複比率は、約５よりも大きくてもよい。重複距離４４に沿って、第１の電極１４および第２の電極１８と浮遊電極２８との間に静電容量が形成され得る。したがって、約５よりも大きい重複比率は、バリスタ１０のエネルギー散逸能力を大幅に低減することなくそのような静電容量を低減することができる。しかしながら、他の実施形態において、第１の電極１４および第２の電極１８は浮遊電極層２８と一切重なり合わなくてもよい。また他の実施形態において、重複比率は約５未満とすることができる。
【００３２】
[0034]本開示は、いかなる特定の数の誘電体−電極層にも限定されないことも理解されたい。例えば、いくつかの実施形態において、バリスタ１０は、２つ以上の誘電体−電極層、４つ以上の誘電体−電極層、８つ以上の誘電体−電極層、１０個以上の誘電体−電極層、２０個以上の誘電体−電極層、３０個以上の誘電体−電極層、または、任意の適切な数の誘電体−電極層を含んでもよい。
【００３３】
[0035]図１Ｂおよび図１Ｃを参照すると、バリスタ１０は、第１の端面３０を有することができる。図１Ｂおよび図１Ｃの視点からは示されないが、バリスタ１０は、第１の端面３０に対向し、長さ方向２２においてずれている第２の端面３２を含むことができることも理解されたい。バリスタ１０はまた、第１の側面３４も有することができ、図１Ｂおよび図１Ｃの視点からは示されないが、バリスタは、第１の側面３４に対向し、長さ方向２２に垂直である幅方向３８においてずれている第２の側面３６を含むことができることも理解されたい。
【００３４】
[0036]図１Ｂは、（例えば、端子がバリスタ１０上に形成される前の）端子のないバリスタ１０を示す。いくつかの実施形態において、バリスタ１０の上層は、露出された活性の第１の電極１４および第２の電極１８を含むことができる。端子１６、２０と接続するために、第１の電極１４の縁部は、第１の端面３０まで延伸することができ、第２の電極１８の縁部は、第２の端面３２まで延伸することができる。付加的に、他の実施形態において、第１の電極１６および第２の電極１８はまた、側面３４、３６まで延伸して、そのような実施形態においては側面の周りで曲がるように構成され得る端子との改善された接続を提供することもできる。
【００３５】
[0037]図１Ｃを参照すると、バリスタ１０は、バリスタ１０の活性電極１４、１８を回路（例えば、プリント回路基板上の）に電気的に接続するための終端構造を含むことができる。終端構造は、第１の端子１６および第２の端子２０を含むことができる。第１の端子１６および第２の端子２０は、白金、銅、パラジウム銀、または他の適切な伝導性材料の金属化層を含むことができる。スパッタリングなどの典型的な処理技法によって被着されるクロム／ニッケル層および後続する銀／鉛層が、終端構造の他の伝導層として使用され得る。
【００３６】
[0038]図１Ｃに示されているように、第１の端子１６は、第１の電極１４と電気的に接続されるように、バリスタ１０の第１の端面３０上に配置され得る。言い換えれば、第１の電極１４は、第１の端面３０において第１の端子１６と電気的に接続し得る。第２の端子２０は、第２の端面３２において第２の端子２０と電気的に接続し得る。
【００３７】
[0039]いくつかの実施形態において、バリスタ１０の上部誘電体層および／または底部誘電体層は、ダミー電極を含むことができる。ダミー電極は、バリスタ１０の電気的特性に実質的に寄与することなく、端子１６、２０のバリスタ１０への機械的接着を改善することができる。例えば、ダミー電極は、長さ方向２２において活性電極１４、１８よりも短くなり得る。ダミー電極は、端子１４、１８との電気的接続を改善し、および／または、端子１４、１８の形成（例えば、純銅終端プロセス（ｆｉｎｅ  ｃｏｐｐｅｒ  ｔｅｒｍｉｎａｔｉｏｎ  ｐｒｏｃｅｓｓ）を使用するなど、無電解および／または電解めっきを通じた）を改善するために、任意の誘電体層４０内に形成されてもよい。
【００３８】
用途
[0040]本明細書において開示されているバリスタは、多種多様な装置に用途を見出すことができる。例えば、バリスタは、無線周波数アンテナ／増幅器回路に使用され得る。バリスタは、レーザドライバ、センサ、レーダ、無線周波数識別チップ、近赤外線通信、データ線、Ｂｌｕｅｔｏｏｔｈ、光学、Ｅｔｈｅｒｎｅｔ、および任意の適切な回路を含む様々な技術に用途を見いたすこともできる。
【００３９】
[0041]本明細書において開示されているバリスタは、自動車産業に特定の用途を見いたすこともできる。例えば、バリスタは、自動車用途における上述された回路のいずれかに使用され得る。そのような用途において、受動的電気構成要素は、厳密な耐久性および／または性能要件を満たすことを要求され得る。例えば、ＡＥＣ−Ｑ２００規格は、特定の自動車適用を規制する。本開示の態様によるバリスタは、例えばＡＥＸ−Ｑ２００−００２パルス試験を含む、１つまたは複数のＡＥＸ−Ｑ２００試験を満たすことが可能であり得る。
【００４０】
[0042]超低静電容量バリスタ（ｕｌｔｒａ−ｌｏｗ  ｃａｐａｃｉｔａｎｃｅ  ｖａｒｉｓｔｏｒ）は、データ処理および伝送技術において特定の用途を見出すことができる。例えば、本開示の態様は、約１ｐＦ未満の静電容量を呈するバリスタを対象とする。そのようなバリスタは、例えば、高周波データ伝送回路における信号歪みへの寄与が最小であり得る。
[0043]本開示は、以下の実施例を参照すると、よりよく理解され得る。
【００４１】
実施例
[0044]当該技術分野において知られているように、電子装置のケースサイズは、４桁コード（例えば、ＸＸＹＹ）として表現される場合があり、最初の２桁（ＸＸ）はミリメートル（または千分の一インチ）単位の装置の長さであり、最後の２桁（ＹＹ）はミリメートル（または千分の一インチ）単位の装置の幅である。例えば、一般的なメートル法のケースサイズは、２０１２、１６０８、および０６０３を含み得る。
【００４２】
[0045]例示的な０４０２ケースサイズバリスタは、１ＭＨｚにおいて０．８ｐＦの静電容量を呈し得る。０４０２ケースサイズバリスタは、１５ボルトの作動ＤＣ電圧、１２５ボルトのブレークダウン電圧、および、作動ＤＣ電圧における１００ｎＡの漏れ電流を有し得る。
【００４３】
[0046]本開示の態様によれば、バリスタは、高い比エネルギー能力を有することができる。例示的な高比エネルギー能力バリスタが、以下の表にリストされる。
【００４４】
【表１】
2021515404.tif 000003
【００４５】
[0047]リストされているＤＣ動作電圧およびＡＣ動作電圧は、これらの例示的なバリスタの用途を限定するようには意図されない。むしろ、それらは理想的な動作電圧を示すにすぎない。表に示されているように、リストされている動作電圧は、ブレークダウン電圧を十分に下回り、結果、バリスタは、一般的に、それらの動作電圧において高い抵抗を与え（例えば、実効的に開回路として動作する）、望ましくない電流を防止することができる。例えば、上記のバリスタの各々は、ＤＣ動作電圧において、約０．１μＡ以下の漏れ電流を有する。
【００４６】
[0048]上記でリストされた０４０２バリスタは、約０．３８１ミリメートル（１５ミル）〜約０．５０８ミリメートル（２０ミル）に及ぶ活性電極端部間隙、および、約０．０２５４ミリメートル（１ミル）〜約０．１２７ミリメートル（５ミル）に及ぶ浮遊電極間隙を有することができる。そのため、これらの例示的な０４０２バリスタの活性電極端部間隙の浮遊電極間隙に対する比率は、約３〜約１８に及ぶことができる。
【００４７】
[0049]上記でリストされた０６０３バリスタは、約０．５５８８ミリメートル（２２ミル）〜約０．７１１２ミリメートル（２８ミル）に及ぶ活性電極端部間隙、および、約０．０２５４ミリメートル（１ミル）〜約０．１２７ミリメートル（５ミル）に及ぶ浮遊電極間隙を有することができる。そのため、これらの例示的な０６０３バリスタの活性電極端部間隙の浮遊電極間隙に対する比率は、約４〜約２３に及ぶことができる。
【００４８】
[0050]以下の表は、本開示の態様による例示的な超低静電容量バリスタに関する情報を提供する。
【００４９】
【表２】
2021515404.tif 000004
【００５０】
[0051]リストされた静電容量値は、上記で提示された試験周波数において測定されている。これらの例示的な超低静電容量バリスタは、データ伝送および／または処理技術に特定の用途を見出すことができる。
【００５１】
試験方法
[0052]以下の節は、様々なバリスタ特性を決定するためにバリスタを試験するための例示的な方法を提供する。
【００５２】
過渡エネルギー能力
[0053]バリスタの過渡エネルギー能力は、Ｋｅｉｔｈｌｅｙ  ２４００シリーズ電源測定ユニット（ＳＭＵ）、例えば、Ｋｅｉｔｈｌｅｙ  ２４１０−Ｃ  ＳＭＵを使用して測定され得る。バリスタは、１０ｘ１０００μｓ電流波にさらされ得る。ピーク電流値は、バリスタが（例えば、過熱によって）故障することなく散逸させることが可能である最大エネルギーを決定するように経験的に選択され得る。例示的な電流波は図２に示される。電流（垂直軸２０２）が時間（水平軸２０４）に対してプロットされている。電流はピーク電流値２０６まで増大し、その後、減衰する。「上昇」時間期間（垂直の点線２０６によって示されている）は、電流パルスの開始（ｔ＝０）から、電流がピーク電流値２０６の９０％に達するとき（水平の点線２０８によって示されている）までである。「減衰時間」（垂直の点線２１０によって示されている）は、電流パルスの開始（ｔ＝０）から、電流がピーク電流値２０６の５０％に戻るとき（水平の点線２１２によって示されている）までである。１０ｘ１０００μｓパルスについて、「上昇」時間は１０μｓであり、減衰時間は１０００μｓである。
【００５３】
[0054]パルスがバリスタを通る間、電圧がバリスタにわたって測定され得る。図３は、バリスタを通る電流（垂直軸３０４）に対する、バリスタにわたる電圧（水平軸３０２）の例示的なプロットを示す。図３に示されるように、電圧がブレークダウン電圧３０６を超えると、追加の電流がバリスタを通じて流れても、電圧は大幅には増大しない。言い換えれば、バリスタは電圧を、おおよそ制限電圧３０８に「固定」する。
【００５４】
[0055]バリスタ１０の過渡エネルギー処理能力は、バリスタ１０を通過したエネルギーの量を計算することによって決定され得る。より具体的には、測定電流と測定電圧との積を、パルス中の時間に関して積分することによって、定格過渡エネルギーが計算され得る。
Ｅ＝∫ＩＶｄｔ
式中、Ｅはバリスタによって散逸される総エネルギーであり、Ｉはバリスタを通る瞬間電流であり、Ｖはバリスタにわたる瞬間電圧であり、ｔは時間を表す。
【００５５】
[0056]付加的に、バリスタの静電放電能力を決定するために、一連の反復的静電放電ストライクが与えられ得る。例えば、５，０００回以上の８，０００ボルト静電放電ストライクがバリスタに加えられ得る。この一連のストライクの間、バリスタのブレークダウン電圧が定期的な間隔をおいて（後述されるように）測定され得る。静電放電ストライク後のバリスタのブレークダウン電圧が測定され得、ストライク前の初期ブレークダウン電圧と比較され得る。
【００５６】
制限電圧およびブレークダウン電圧
[0057]バリスタの制限電圧は、Ｋｅｉｔｈｌｅｙ  ２４００シリーズ電源測定ユニット（ＳＭＵ）、例えば、Ｋｅｉｔｈｌｅｙ  ２４１０−Ｃ  ＳＭＵを使用して測定され得る。再び図３を参照すると、制限電圧３０８は、上昇時間が８μｓであり、減衰時間が２０μｓである８ｘ２０μｓ電流パルス中にバリスタにわたって測定される最大電圧として、正確に測定され得る。これは、ピーク電流値３１０がバリスタに損傷を与えるほど大きくならない限り、真のままである。
【００５７】
[0058]ブレークダウン電圧３０６は、バリスタの電流対電圧の関係の変曲点として検出され得る。図３を参照すると、ブレークダウン電圧３０６よりも大きい電圧について、電流は、ブレークダウン電圧３０６よりも低い電圧と比較して、電圧の増大とともにより急速に増大し得る。例えば、図３は、電圧に対する電流の両対数グラフを表す。ブレークダウン電圧３０６よりも低い電圧について、理想的なバリスタは、一般的に、以下の関係に概ね従う電圧を呈し得る。
Ｖ＝ＣＩβ
式中、Ｖは電圧を表し、Ｉは電流を表し、Ｃおよびβは、バリスタの仕様（例えば、材料特性）に依存する定数である。バリスタについて、定数βは一般的に１未満であり、結果、電圧は、この領域においてオームの法則に従う理想的な抵抗器よりも増大するのが遅い。
【００５８】
[0059]一方、ブレークダウン電圧３０６よりも大きい電圧について、電流対電圧の関係は一般的に、オームの法則に概ね従い得、電流は電圧と線形的に関係付けられる。
Ｖ＝ＩＲ
式中、Ｖは電圧を表し、Ｉは電流を表し、Ｒは大きい一定の抵抗値である。電流対電圧の関係は、上述のように測定され得、経験的に収集された電流対電圧データセットの変曲点を決定するために、任意の適切なアルゴリズムが使用され得る。
【００５９】
ピーク電流値
[0060]損傷を受けることなくバリスタが処理することができるピーク電流値は、過渡エネルギー能力に関して上述されたのと同様に、Ｋｅｉｔｈｌｅｙ  ２４００シリーズ電源測定ユニット（ＳＭＵ）を使用して測定され得る。バリスタは、増大する電流レベルにおいて連続的な８ｘ２０μｓ電流パルスにさらされ得る。ピーク電流値は、例えば加熱を通じてバリスタを損傷させることなく、８ｘ２０μｓ電流波を使用してバリスタを通じてパルス状にされ得る最大の電流値として経験的に決定され得る。
【００６０】
静電容量
[0061]スーパーキャパシタの静電容量は、Ｋｅｉｔｈｌｅｙ  ３３３０精密ＬＣＺメータを使用して、０．０ボルト、１．１ボルト、または２．１ボルトのＤＣバイアス（０．５ボルト二乗平均平方根正弦波信号）を用いて測定され得る。動作周波数は、上記の表２において別途指定されない限り、１，０００Ｈｚである。温度は室温であり（約２３℃）、相対湿度は２５％である。
【００６１】
[0062]本発明の思想および範囲から逸脱することなく、本発明のこれらのおよび他の修正および変形が当業者によって実践され得る。加えて、様々な実施形態の態様は、全体的または部分的の両方で交換され得ることは理解されたい。さらに、上記の説明は例示にすぎず、そのため、添付の特許請求の範囲においてさらに説明される本発明を限定するようには意図されていないことが、当業者には諒解されよう。
【図１Ａ】
2021515404.tif 000005
【図１Ｂ】
2021515404.tif 000006
【図１Ｃ】
2021515404.tif 000007
【図２】
2021515404.tif 000008
【図３】
2021515404.tif 000009
【国際調査報告】
2021515404.tif 000010
2021515404.tif 000011